(57)【要約】【課題】組立作業性が向上した電子装置及びフラットケーブルを提供することを課題とする。【解決手段】実施例１に係る携帯電話は、互いに対向しつつ所定平面内で相対回転可能に連結された表示部２と腕部３と、表示部２と腕部３とを電気的に接続するＦＦＣ８とを備え、ＦＦＣ８は、所定平面に沿った面を有し、表示部２と腕部３とをにそれぞれ接続される第１延在部８２、第２延在部８３と、第１延在部８２と第２延在部８３との間に位置し軸線Ａを囲うように湾曲した湾曲面８５１を有した湾曲部８５とを含む。【選択図】図６
2010056705.tif 000002
【特許請求の範囲】
【請求項１】
互いに対向しつつ所定平面内で相対回転可能に連結された第１、第２電子ユニットと、
前記第１、第２電子ユニットを電気的に接続するフラットケーブルとを備え、
前記フラットケーブルは、
前記所定平面に沿った面を有し、前記第１、第２電子ユニット側にそれぞれ接続される第１、第２延在部と、
前記第１、第２延在部間に位置し前記所定平面の法線周りを囲うように湾曲した湾曲面を有した湾曲部とを含む、電子装置。
【請求項２】
前記第１、第２電子ユニットは、対向しつつスライド可能に連結され、
前記第１、第２延在部の少なくとも一方は、途中で互いに重なるように屈曲した屈曲部を含む、請求項１の電子装置。
【請求項３】
前記屈曲部の幅よりも前記湾曲部の幅が狭い、請求項１又は２の電子装置。
【請求項４】
前記第１、第２電子ユニットを回転可能に連結すると共に開口を有した連結機構を備え、
前記フラットケーブルは、前記開口を通過している、請求項１乃至３の何れかの電子装置。
【請求項５】
前記開口内に前記湾曲部が収納される、請求項４の電子装置。
【請求項６】
前記連結機構は、前記第１、第２電子ユニット側にそれぞれ固定される第１、第２固定部材と、前記第１、第２固定部材を回転可能に連結する連結部材とを含み、
前記第１、第２固定部材は、それぞれ開口を有し、
前記連結部材は、前記第１固定部材側の開口と前記第２固定部材側の開口とに係合すると共に中央部に開口を有している、請求項４又は５の電子装置。
【請求項７】
前記第１固定部材側の開口と前記第２固定部材側の開口の少なくとも一方は、前記連結部材のスライドを許容する長孔状である、請求項６の電子装置。
【請求項８】
前記フラットケーブルは、互いに厚み方向に重ねられ少なくとも一部で接着された複数のフラットケーブルである、請求項１乃至７の何れかの電子装置。
【請求項９】
前記フラットケーブルは、前記第１、第２電子ユニットの少なくとも一方のシール部材と一体に形成されている、請求項１乃至８の何れかの電子装置。
【請求項１０】
所定平面に沿うように延在した面を有した第１、第２延在部と、
前記第１、第２延在部間に位置し前記所定平面の法線周りを囲うように湾曲した湾曲面を有した湾曲部とを含む、フラットケーブル。
【発明の詳細な説明】
【技術分野】
【０００１】
本発明は電子装置及びフラットケーブルに関する。
【背景技術】
【０００２】
従来から、互いに対向しつつ所定平面内で相対回転可能に連結された第１、第２電子ユニットを備えた電子装置があり、このような電子装置としては、携帯電話が知られている。第１、第２電子ユニットのそれぞれには基板が内蔵されており、両者の電気的接続は複数のケーブルにより確保されていた。
【０００３】
【特許文献１】特開２００８−７８４７１号公報
【発明の開示】
【発明が解決しようとする課題】
【０００４】
このようなケーブルは、第１、第２電子ユニット間で束ねられて、所定の位置に収納保持される。このような電子装置を組み立てる際には、複数のケーブルを束ね、かつ所定の位置に収納させる作業が必要となる。このため、装置の組立作業性が悪化していた。
【０００５】
そこで本発明は上記の課題に鑑みてなされたものであり、組立て作業性が向上した電子装置及びフラットケーブルを提供することを目的とする。
【課題を解決するための手段】
【０００６】
上記課題を解決するために、本明細書に開示の電子装置は、互いに対向しつつ所定平面内で相対回転可能に連結された第１、第２電子ユニットと、前記第１、第２電子ユニットを電気的に接続するフラットケーブルとを備え、前記フラットケーブルは、前記所定平面に沿った面を有し、前記第１、第２電子ユニット側にそれぞれ接続される第１、第２延在部と、前記第１、第２延在部間に位置し前記所定平面の法線周りを囲うように湾曲した湾曲面を有した湾曲部とを含む。
【０００７】
これにより、フラットケーブルを用いて第１、第２電子ユニットを接続することができるので、複数のケーブルを用いて両者を接続する場合と比較し、複数のケーブルを束ねるという作業が不要となる。これにより、組立て作業性が向上する。また、湾曲部が所定平面の法線周りを囲うように湾曲しているので、第１、第２延在部の法線周りの回転が許容される。これにより所定平面内で第１、第２電子ユニットの相対回転を確保でき、第１、第２電子ユニットの回転によるフラットケーブルへの負荷も低減される。
【０００８】
また、上記課題を解決するために、本明細書に開示のフラットケーブルは、所定平面に沿うように延在した面を有した第１、第２延在部と、前記第１、第２延在部間に位置し前記所定平面の法線周りを囲うように湾曲した湾曲面を有した湾曲部とを含む。これにより第１、第２延在部の法線周りの回転が許容される。
【発明の効果】
【０００９】
組立て作業性が向上した電子装置及びフラットケーブルを提供できる。
【発明を実施するための最良の形態】
【００１０】
以下、本発明に係る複数の実施形態について図面を参照して説明する。
【実施例１】
【００１１】
図１は、実施例１に係る携帯電話（電子装置）の分解斜視図である。携帯電話は、本体部１、表示部（第１電子ユニット）２、腕部（第２電子ユニット）３、連結機構４、ＦＦＣ（フレキシブルフラットケーブル）８を含む。尚、図１においては、閉じた状態での携帯電話の分解斜視図である。表示部２は、前面ケース２０、背面ケース３０を含む。腕部３は、前面ケース９０、背面ケース１００を含む。前面ケース２０、９０、背面ケース３０、１００は、合成樹脂により形成されている。
【００１２】
本体部１の前面側には、ユーザが操作指示を本体部１に与えるための操作部１２、ユーザの音声を集音するマイク１４が設けられている。操作部１２は、複数の操作キーを含む。表示部２と腕部３とは、互いに対向しつつ所定平面内で相対回転可能に連結されている。連結機構４は、表示部２と腕部３とを相対回転可能に連結している。連結機構４は、表示部２と腕部３とに挟まれる。
【００１３】
また、本体部１と腕部３とは開閉可能に連結されている。詳細には、本体部１に形成された軸受部１７と前面ケース９０に形成された軸部９７とがヒンジとして機能する。ＦＦＣ８は、表示部２と腕部３とを電気的に接続している。ＦＦＣ８は、ビニール製の帯状体の内部に複数の電気信号線が長手方向に沿って並べられたものである。
【００１４】
前面ケース２０には、本体部１の操作部１２が設けられた面との対向面に、不図示のディスプレイが設けられている。また前面ケース２０には、基板２１が内蔵されている。基板２１は、ポリイミド樹脂、エポキシ樹脂、ガラスエポキシ樹脂等の基材に、配線がパターニングされた硬質のプリント板である。基板２１には、ＦＦＣ８の一端が接続されるコネクタ２５が実装されている。これにより、ＦＦＣ８と基板２１とは電気的に接続される。尚、前面ケース２０には、通話相手の音声を出力するスピーカ２３が内蔵されている。
【００１５】
前面ケース９０には、中央部に開口９２が形成されている。また、前面ケース９０には基板９１が内蔵されている。基板９１は、ポリイミド樹脂、エポキシ樹脂、ガラスエポキシ樹脂等の基材に、配線がパターニングされた硬質のプリント板である。基板９１にはコネクタ９５が実装されている。ＦＦＣ８の他端は、開口９２を介してコネクタ９５に接続される。これにより、ＦＦＣ８と基板９１とは電気的に接続される。従って、基板２１と基板９１とはＦＦＣ８により電気的に接続される。コネクタ９５は、ケーブル９６に接続され、ケーブル９６の他端は軸部９７の内部に配置されている。軸部９７と軸受部１７とが連結されることにより、ケーブル９６と本体部１内のケーブルとが電気的に接続される。これにより、腕部３と本体部１とが電気的に接続される。尚、基板９１には、撮像素子（不図示）を内蔵したカメラユニット９４が実装され、カメラユニット９４は背面ケース１００の開口１０４から露出される。
【００１６】
ＦＦＣ８は、詳しくは後述する連結機構４の開口部、背面ケース３０の開口３２、前面ケース９０の開口９２を介して、一端が表示部２側に他端が腕部３側に接続される。
【００１７】
図２は、連結機構４の一部分を分解した斜視図である。連結機構４は、回転板（第１固定部材）４０、保持板（第２固定部材）５０、ばね６０、リング部材７０を含む。回転板４０、保持板５０、ばね６０、リング部材７０は、金属材料により形成されている。回転板４０、保持板５０は薄板状に形成されている。リング部材７０は、リング状に形成されている。
【００１８】
回転板４０は、背面ケース３０の背面に固定される。詳細には、回転板４０は複数の突起４８を有し、この突起４８と背面ケース３０の背面に形成された孔３８とが嵌合する。また、回転板４０には複数の孔４９を有し、この孔４９と背面ケース３０の背面に形成された突部３９とが嵌合する。これにより、回転板４０は背面ケース３０に固定される。また、回転板４０には中央部に開口４２が形成されている。
【００１９】
保持板５０は、前面ケース９０の正面に固定される。保持板５０には、複数の突起５８が形成されており、前面ケース９０には凹部９８が形成されている。突起５８と凹部９８とが嵌合することにより、保持板５０は前面ケース９０に固定される。保持板５０の中央部には開口５２が形成されている。開口５２は、長孔状に形成されている。
【００２０】
リング部材７０は、回転板４０と保持板５０とを相対回転可能に連結する。詳細には、図１に示すように、リング部材７０は、開口５２に係合しつつ開口４２に係合している。開口４２と開口５２とは、所定のクリアランスを有して係合しており、回転板４０は保持板５０に対して摺動回転可能である。また、開口４２と開口７２とは、摺動回転不能に嵌合している。従って、回転板４０は、リング部材７０と共に保持板５０に対して回転できる。これにより、後述する、表示部２と腕部３との相対回転が可能となる。
【００２１】
また、リング部材７０は、長孔状に形成された開口５２の長手方向に沿ってスライド可能に係合している。従って、リング部材７０は、回転板４０と保持板５０とをスライド可能に連結している。これにより、後述する表示部２と腕部３とのスライドが可能となる。
【００２２】
ばね６０は、図１に示すように、一端６２が保持板５０の係止部５６２に係止され、他端はリング部材７０に係止されている。ばね６０は、図１に示すようにリング部材７０を開口５２の一端へと付勢する。これにより、回転板４０は開口５２の一端で保持され、回転板４０と保持板５０とがスライドする際には、ばね６０の付勢力に逆らって行われることになる。尚、保持板５０には、ばね６０の渦巻き部に当接してばね６０を保持板５０に固定するための立ち上がり部５６と、ばね６０の一端側に当接した突起部５６１が形成されている。
【００２３】
図３は、ＦＦＣ８の説明図であり、図３（Ａ）は、携帯電話に搭載された際のＦＦＣ８の斜視図、図３（Ｂ）は、展開状態でのＦＦＣ８の正面図である。図３（Ａ）に示すように、は、第１延在部８２と、第２延在部８３と、第１延在部８２と第２延在部８３との間に位置する湾曲部８５とを含む。これらは連続している。第１延在部８２と第２延在部８３とは所定平面に沿うように延在した面を有している。湾曲部８５は、所定平面に垂直な軸線Ａを囲うように湾曲した湾曲面８５１を有している。湾曲部８５は、開口４２、７２、３２内に収納される。詳しくは後述するが、湾曲部８５は、第１延在部８２、第２延在部８３の軸線Ａ周りの回転を許容する機能を有している。
【００２４】
尚、軸線Ａは、所定平面の法線に相当する。尚、軸線Ａは、開口４２、７２の中心を通過する。また、軸線Ａは、表示部２と腕部３との回転軸線に相当する。また、
【００２５】
第２延在部８３は、途中で互いに重なるように略１８０度に屈曲した屈曲部８３１が形成されている。詳しくは後述するが、屈曲部８３１の位置が第２延在部８３の長手方向に沿って移動することにより、第２延在部８３の端部に対して、それ以外の部分が第２延在部８３の長手方向にスライド可能となる。
【００２６】
また、図３（Ｂ）に示すように、展開状態においてはＦＦＣ８はＺ字状である。第１延在部８２と湾曲部８５との幅は略同じであり、第２延在部８３の幅は、第１延在部８２、湾曲部８５よりも広い。尚、図３（Ｂ）においては、湾曲部８５に相当する箇所をハッチングで示しており、携帯電話が初期状態での屈曲部８３１の位置を破線で示している。
【００２７】
次に、実施例１に係る携帯電話における表示部２と腕部３との回転について説明する。図４は、実施例１に係る携帯電話における表示部２と腕部３との回転について説明図である。尚、図４においては携帯電話を簡略化して示してある。図４（Ａ）は、本体部１から表示部２、腕部３が開いた初期状態を示している。図４（Ａ）に示した状態から、図４（Ｂ）に示すように、表示部２は腕部３に対して右回転可能である。表示部２が右回転する際、表示部２は腕部３に対して上方にスライドする。即ち、回転軸線を示す軸線Ａは上方に移動する。これは、略矩形状に形成された表示部２の縁と、表示部２を支持する腕部３の支持壁９３とが、表示部２の回転によって当接することにより、腕部３の支持壁９３から表示部２の回転軸までの距離が変化するからである。この際には、開口４２は、開口５２の一端から長手方向に沿って他端にスライドする。表示部２が９０度右回転した後は、図４（Ｃ）に示すように、軸線Ａは、回転前と略同じ位置に戻る。尚、支持壁９３は、初期状態、又は初期状態から９０度回転した状態で表示部２と当接する。
【００２８】
次に、携帯電話に組み込まれた際のＦＦＣ８の状態について説明する。図５は、ＦＦＣ８の状態の説明図である。図５には、開いた状態での携帯電話を示している。尚、ＦＦＣ８の状態の理解を容易にするために簡略化して示してある。表示部２、腕部３が回転していない状態においては、第１延在部８２、第２延在部８３は同一方向に延びるように位置づけられる。
【００２９】
次に、表示部２と腕部３との回転に対応させて、ＦＦＣ８の状態を説明する。図６は、表示部２と腕部３との回転に応じたＦＦＣ８の状態の説明図である。図６（Ａ）は、初期状態での携帯電話の状態と、ＦＦＣ８の状態とを示している。図６（Ｂ）は、初期状態から表示部２が右回転した状態を示している。表示部２が右回転すると、第１延在部８２は、軸線Ａ周りに略９０度左回転する。この際に、軸線Ａから湾曲面８５１までの距離が初期状態より大きくなるようにして、第１延在部８２が回転する。
【００３０】
また、初期状態から表示部２が左回転すると、図６（Ｃ）に示すように、第１延在部８２は、軸線Ａ周りに略９０度右回転する。この際に、軸線Ａから湾曲面８５１の距離が初期状態より小さくなるようにして、第１延在部８２が回転する。
【００３１】
このように、第１延在部８２、第２延在部８３の軸線Ａ周りの相対回転が許容されるのは、第１延在部８２と第２延在部８３との間に、湾曲部８５が形成されているからである。軸線Ａを中心とする湾曲部８５の径が、大きくなったり、小さくなったりすることによって、第１延在部８２と第２延在部８３との相対回転が許容される。これにより、表示部２と腕部３との相対回転を維持できる。また、ＦＦＣ８の負荷も低減され、ＦＦＣ８内部での電気信号線の断線の恐れも少ない。
【００３２】
また、図４に示したように、表示部２が回転する際には、表示部２が腕部３に対して上方にスライドして、軸線Ａの位置が上方に移動する。このスライドを許容するように、ＦＦＣ８には、屈曲部８３１を有している。屈曲部８３１の位置が移動することにより、第２延在部８３に対する第１延在部８２、湾曲部８５の移動が許容される。
【００３３】
また、図３（Ｂ）に示したように、湾曲部８５の幅は第２延在部８３の幅よりも狭い。これにより、携帯電話の軸線Ａ方向での厚みを抑制できる。また、湾曲部８５が、開口３２、４２、５２、７２、９２内に収納されるので、携帯電話の厚みが厚くなることを防止できる。
【００３４】
ここで、本実施例と異なる構造を有した携帯電話における、表示部と腕部とのの電気的接続について説明する。ＦＦＣ８の代わりに、複数のケーブルを用いて表示部２と腕部３との電気的接続を確保する場合、複数のケーブルを束ねて、開口３２、４２、５２、７２、９２内を通過するように引回す必要がある。従って組立作業性が悪化する。このため製造コストが増大する一因となる。しかしながら、実施例１に係る携帯電話のように、ＦＦＣ８を採用することにより、複数のケーブルを束ねる必要はなくなるため、組立作業性が向上する。このため、製造コストが抑制される。
【実施例２】
【００３５】
次に、実施例２に係る携帯電話について説明する。尚、実施例１と同様の部分については同様の符号を付することにより重複する説明を省略する。図７は、実施例２に係る携帯電話の断面図である。尚、図７において、リング部材７０の図示は省略してある。
【００３６】
ＦＦＣ８ａは、２枚のフラットケーブルが厚み方向に重ねられている。２枚のフラットケーブルは、両面テープにより一部分で接着されている。第１延在部８２の端部に基板２１ｄが接続されている。第２延在部８３の端部に基板９１ａが接続されている。また、第１延在部８２には、ガスケット（シール部材）１２０が一体に形成されている。第２延在部８３には、ガスケット（シール部材）１３０が一体に形成されている。ガスケット１２０は、前面ケース２０ａと背面ケース３０ａとに挟みこまれ、ガスケット１３０は、前面ケース９０ａと背面ケース１００ａとに挟みこまれる。２枚のフラットケーブルは、ガスケット１２０、１３０と一体に形成された箇所周辺に亘って両面テープにより接着されている。
【００３７】
図８は、ガスケット１３０の説明図である。図８（Ａ）に、ガスケット１３０の形状を示している。ガスケット１３０は、基板９１ａを囲うように形成されている。また、ガスケット１３０は、背面ケース１００ａと前面ケース９０ａとによって挟み込まれる。これにより、基板９１ａへ水が浸入することを防止できる。
【００３８】
図８（Ｂ）は、図８（Ａ）のＸ−Ｘに沿った断面図である。両面テープ８９の幅Ｂは、ＦＦＣ８ａの幅Ｃよりも広く形成されている。図８（Ｃ）は、図８（Ａ）のＹ−Ｙに沿った断面図である。２枚のフラットケーブルは、ガスケット１３０と一体に形成された箇所周辺に亘って両面テープ８９により接着されている。これにより、両面テープ８９により接着されている箇所周囲では、ガスケット１３０との一体成形によりガスケット１３０の材料によって高機密に取り囲まれている。このように両面テープ８９を用いるという簡易な手法により、実施例２の携帯電話は防水性が向上している。
【００３９】
尚、フラットケーブルを２枚重ねた例を説明したが２枚に限定されない。また、両面テープ以外に、接着剤により複数枚のフラットケーブルを接着してもよい。
【実施例３】
【００４０】
次に、実施例３に係る携帯電話を説明する。図９は、実施例３に係る携帯電話の表示部２ｂと腕部３との回転の説明図である。実施例３に係る携帯電話は、表示部２ｂの下端部は半円状に形成されている。このため、表示部２ｂが腕部３に対して回転する際には、軸線Ａの位置は略変化しない。即ち、表示部２ｂは、腕部３に対してスライド可能に連結されていない。
【００４１】
図１０は、実施例３に係る携帯電話に採用されているＦＦＣ８ｂの説明図であり、図１０（Ａ）は、ＦＦＣ８ｂの斜視図、図１０（Ｂ）は、ＦＦＣ８ｂを展開状態での図である。図１０に示すように、第２延在部８３には屈曲部が形成されていない。これは、図９に示したように、表示部２ｂは腕部３に対してスライドせずに回転するからである。このように、スライドしない携帯電話に対しては、ＦＦＣ８ｂを採用できる。
【実施例４】
【００４２】
次に、実施例４の携帯電話について説明する。図１１は、実施例４に係る携帯電話の表示部と腕部と回転の説明図である。図１１（Ａ）に示した初期状態から、表示部２ｃが右方向に回転すると、図１１（Ｂ）に示すように、軸線Ａの位置が上方に移動する。更に回転して表示部２ｃが略９０度回転すると、図１１（Ｃ）軸線Ａは、初期位置での軸線Ａの位置に戻る。その後、表示部２ｃと腕部３ｃとを回転、スライド可能に連結する連結機構によって、図１１（Ｄ）に示すように、表示部２ｃは腕部３ｃに対して中央部に位置する。
【００４３】
図１２は、実施例４に係る携帯電話に採用されているＦＦＣ８ｃの説明図である。図１２（Ａ）は、ＦＦＣ８ｃの斜視図である。図１２（Ｂ）は、ＦＦＣ８ｃを展開した図である。ＦＦＣ８ｃは、第１延在部８２、第２延在部８３のそれぞれに、屈曲部８２１、屈曲部８３１とが形成されている。また第１延在部８２には、屈曲部８２１と湾曲部８５との間にＵ字状部８５２が形成されている。Ｕ字状部８５２は、略９０度に曲がるように形成されている。
【００４４】
屈曲部８２１は、屈曲部８２１の位置が移動することにより、第１延在部８２に対して第２延在部８３、湾曲部８５が第１延在部８２の長手方向に沿って移動できる。これにより、表示部２ｃが図１１（Ｃ）に示した状態から図１１（Ｄ）に示した状態へのスライドが許容される。従って、実施例４のようなスライド量が大きい携帯電話には、ＦＦＣ８ｃを採用することにより、スライドを確保できる。
【００４５】
また、図１２（Ｂ）に示すように、第１延在部８２と第２延在部８３との幅は略一定であるが、湾曲部８５の幅は、第１延在部８２、第２延在部８３の幅よりも狭く形成されている。この理由は、湾曲部８５の幅が広いと、軸線Ａの方向での携帯電話の厚みが増大する要因となるからである。
【００４６】
次に、実施例５に係る携帯電話について説明する。図１３は、実施例５に係る携帯電話の説明図である。実施例５に係る携帯電話は、本体部１ｄと表示部２ｄとを含む。本体部１ｄの正面には、不図示のディスプレイが設けられている。表示部２ｄと対向する、本体部１ｄの対向面には不図示の操作部が設けられている。
【００４７】
図１３（Ａ）は、実施例５に係る携帯電話の初期状態である。初期状態においては、本体部１ｄ、表示部２ｄは互いに対向した状態にある。初期状態から表示部２ｄは本体部１ｄに対して所定方向にスライドすると、図１３（Ｂ）に示すように、本体部１ｄの対向面から不図示の操作部が露出される。スライド後に表示部２ｄが右回転すると、図１３（Ｃ）に示すように表示部２ｄの下端部が本体部１ｄの支持壁９３に当接して、軸線Ａが上方に移動する。回転後は、図１３（Ｄ）に示すように表示部２ｄは本体部１ｄの略中央部へとスライドする。このようなスライド量の大きい携帯電話にも、上述した実施例４の携帯電話に採用されたＦＦＣ８ｃを採用できる。
【００４８】
以上本発明の好ましい一実施形態について詳述したが、本発明は係る特定の実施形態に限定されるものではなく、特許請求の範囲に記載された本発明の要旨の範囲内において、種々の変形・変更が可能である。
【００４９】
ＰＤＡやノートパソコンのように、２つの電子ユニットを互いに対向しつつ相対回転可能に連結した電子装置であればよい。
【図面の簡単な説明】
【００５０】
【図１】実施例１に係る携帯電話の分解斜視図である。
【図２】連結機構の一部分を分解した斜視図である。
【図３】ＦＦＣの説明図である。
【図４】実施例１に係る携帯電話における表示部と腕部との回転について説明図である。
【図５】ＦＦＣの状態の説明図である。
【図６】表示部と腕部との回転に応じたＦＦＣの状態の説明図である。
【図７】実施例２に係る携帯電話の断面図である。
【図８】ガスケットの説明図である。
【図９】実施例３に係る携帯電話の表示部と腕部との回転の説明図である。
【図１０】実施例３に係る携帯電話に採用されているＦＦＣの説明図である。
【図１１】実施例４に係る携帯電話の表示部と腕部と回転の説明図である。
【図１２】実施例４に係る携帯電話に採用されているＦＦＣの説明図である。
【図１３】実施例５に係る携帯電話の説明図である。
【符号の説明】
【００５１】
１、１ｄ  本体部
２、２ａ、２ｂ、２ｃ  表示部（第１電子ユニット）
３、３ｃ  腕部（第２電子ユニット）
４  連結機構
８  ＦＦＣ（フラットケーブル）
２５、９５  コネクタ
４０  回転板（第１固定部材）
４２  開口
５０  保持板（第２固定部材）
６０  ばね
７０  リング部材
８２  第１延在部
８３  第２延在部
８５  湾曲部
８９  両面テープ
１２０、１３０  ガスケット（シール部材）
８２１  屈曲部
８５１  湾曲面
【図１】
2010056705.tif 000003
【図２】
2010056705.tif 000004
【図３】
2010056705.tif 000005
【図４】
2010056705.tif 000006
【図５】
2010056705.tif 000007
【図６】
2010056705.tif 000008
【図７】
2010056705.tif 000009
【図８】
2010056705.tif 000010
【図９】
2010056705.tif 000011
【図１０】
2010056705.tif 000012
【図１１】
2010056705.tif 000013
【図１２】
2010056705.tif 000014
【図１３】
2010056705.tif 000015